Podtech/llm-jp-corpus-v4-ja_patent huggingface dataset:
(57)【要約】【課題】従来のブラジャー用長さ調節具では長さが短く、大きく緩めることはできず、中高齢者、体調不良者、猫背の人に不適でした、また、大きく緩くするためには外す以外に方法がありませんし、再度ブラジャーを留めるには上着を大きく持ち上げなくてはなりません、また、手の上がりにくい人にとって、一度外すと服を脱いでもう一度付け直さないとなりませんでした。【解決手段】  本発明は、従来のファスナー（開閉具）布部分幅を狭くし、ファスナーの閉め止まり位置の左右にカギホック受け金具、掛け金具を固着して、ファスナーの肌面に保護布を観音開きに固着し、ブラジャーの背面カギホック受け金具にファスナーのカギホック掛け金具を連結し、ブラジャーの背面カギホック掛け金具にファスナーのカギホック受け金具を連結してファスナーを開閉しアンダーバストの長さを自在に調節する。【選択図】図１
2006200050.tif 000002
【特許請求の範囲】
【請求項１】
従来の開閉具（ファスナー）布部分幅を狭くし、ファスナーの閉め止まり位置の左右にカギホック受け金具、掛け金具を固着して、ファスナーの肌面に保護布を観音開きに固着して、ブラジャーの背面カギホック受け金具にファスナーのカギホック掛け金具を連結し、ブラジャーの背面カギホック掛け金具にファスナーのカギホック受け金具を連結してファスナーを開閉し、ファスナーの金具（開閉器）によって引き合う力を分散され胸部の締め付けも軽減し、アンダーバストの長さを自在に調節するブラジャー用長さ調節具。
【発明の詳細な説明】
【技術分野】
【０００１】
本考案は、ブラジャーの胸部の締め付けを軽減し、呼吸を楽にし、バストの形を美しく整える時はファスナーを閉め、楽な締め付け時はファスナーを開き、ブラジャーを連結した状態のまま服をあまり持ち上げることなく自在にアンダーバストの長さ調節できる、ブラジャー用長さ調節具。
【背景技術】
【０００２】
従来のブラジャー長さ調節具では、緩めたい時、外すしか方法が無く、また、洋服着用時は上のほうまで服を持ち上げてなくてはカギホックを留めることができず、緩めたときの長さも少しですし、胸部の締め付けも軽減されません。
【特許文献１】登録実用新案第３０６５７６４号公報
【発明の開示】
【発明が解決しようとする課題】
【０００３】
以上に述べた従来のブラジャー用長さ調節具では長さが短く、大きく緩めることはできず、中高齢者、体調不良者、猫背の人に不適でした、また、大きく緩くするためには外す以外に方法がありませんし、再度ブラジャーを留めるには上着を大きく持ち上げなくてはなりません、また、手の上がりにくい人にとって、サイズ調節が困難です。
【課題を解決するための手段】
【０００４】
従来のファスナーの幅を狭くして、ファスナーの閉め止まり位置の左右にカギホック受け金具、掛け金具を固着して、ファスナーの肌面に保護布を観音開きに綴じ着けて、ブラジャーの背面カギホック受け金具にファスナーのカギホック掛け金具を連結し、ブラジャーの背面カギホック掛け金具にファスナーのカギホック受け金具を連結してファスナーを開閉し、ブラジャーのアンダーバストの長さを調節する。
【発明の効果】
【０００５】
ブラジャーの使用は不可欠になった現在、本発明の使用によって、筋肉の衰えた中高年、体調不良者、猫背の人、手が上がりにくい人にとって、ファスナーの金具（開閉器）の部分に力点が2分され、胸部を締め付ける力が軽減され、より快適にブラジャーを使用でき、また、簡単にブラジャーのアンダーバストの長さを自在に調節できる。
【発明を実施するための最良の形態】
【０００６】
本発明は、従来のファスナー（開閉具）布部分幅を狭くし、ファスナーの閉め止まり位置の左右にカギホック受け金具、掛け金具を固着して、ファスナーの肌面に保護布を観音開き固着し、ブラジャーの背面カギホック受け金具にファスナーのカギホック掛け金具を連結し、ブラジャーの背面カギホック掛け金具にファスナーのカギホック受け金具を連結してファスナーを開閉しアンダーバストの長さを調節する。
【実施例１】
【０００７】
本発明を図面の実施例について説明すると図1は使用図、図２は前面、図３は裏面を示す。まず、図1ブラジャーを装着した背面部である、1カギホックを連結した部分、２開閉器、3ファスナー、４保護布、5ブラジャー背面部を示す。
【産業上の利用可能性】
【０００８】
長い間ブラジャーを使用してきた中高年にとって、ブラジャーを着けずに外出することはできず、従来のブラジャーを着けると、胸部を締め付けて呼吸が辛く、ブラジャー付のシャツはバストの形が定まらず、また、夏はブラジャー付きシャツを着ると暑く、身軽に動作ができません、本発明を使用すれば、胸部の締め付けを軽減し、バストを美しく形作り、夏は涼しく身軽に動作ができ、手が上がりにくい人も自在にアンダーバストの長さを調節できる。
【図面の簡単な説明】
【０００９】
【図１】使用説明図である。
【図２】前面説明図である。
【図３】裏面説明図である。
【符号の説明】
【００１０】
１    カギホック
１’  カギホック
２    開閉器
３    ファスナー
４    保護布
５    ブラジャー背面
【図１】
2006200050.tif 000003
【図２】
2006200050.tif 000004
【図３】
2006200050.tif 000005
(57)【要約】【課題】  測定水を脱泡槽内の水車へ当てながら供給することで、水車を中心とした旋回流によって、流れの中心部分の圧力が降下することで測定水中に溶け込んでいる微小な気泡が大気開放へ誘導され、微小な気泡を取り除くことができる脱泡装置を提供する。【解決手段】  脱泡装置は、測定水を測定水取入口から供給して、一定の水位に保ちながら検出側に送る脱泡槽を備えた脱泡装置であって、前記測定水取入口から供給する測定水を、旋回させながら前記脱泡槽に貯留させる旋回貯留手段を備えたことであり、この旋回貯留手段は、測定水取入口からの測定水を水車にあてて測定水を旋回させて貯留させることである。【選択図】  図２
2006200942.tif 000002
【特許請求の範囲】
【請求項１】
測定水を測定水取入口から供給して、一定の水位に保ちながら検出側に送る脱泡槽を備えた脱泡装置であって、
前記測定水取入口から供給する測定水を、旋回させながら前記脱泡槽に貯留させる旋回貯留手段を備えたことを特徴とする脱泡装置。
【請求項２】
前記旋回貯留手段は、前記測定水取入口からの測定水を水車にあてて測定水を旋回させて貯留させることである請求項１に記載の脱泡装置。
【請求項３】
前記水車は、前記測定水の流速で一定方向に回転することを特徴とする請求項２に記載の脱泡装置。
【発明の詳細な説明】
【技術分野】
【０００１】
本発明は、脱泡装置に関し、詳しくは濁度計サンプリング装置の脱泡装置であり、微細な泡を取り除くことができる脱泡装置に関する。
【背景技術】
【０００２】
従来技術における脱泡装置は、図３に示すように、筒体の脱泡槽１１１内に所定高さの測定水取入口１１２と、この測定水取入口１１２よりも高い堰１１３と、底部位置に測定セル方向に流すセル取出口１１４とを設けた構造となっている。
このような構成の脱泡装置において、測定水を脱泡層１１１に供給し、堰１１３で水頭を一定に保つようにして、セル取出口１１４からセル（濁度検出器）へ一定流量で供給する。堰１１３を越えた測定水は、排水口１１５を通じて排水される。
【特許文献１】特開２００４−１６３１０８号公報（第６頁  第５図）
【発明の開示】
【発明が解決しようとする課題】
【０００３】
しかし、従来技術で説明した、脱泡装置は、非常に微小な気泡に対しては、泡が大気開放で排気されず、セルへ供給される流れに乗って、セルまで送られてしまうという問題がある。
そのため、高感度濁度計の場合は、微小な気泡が測定水中の粒子と認識されてしまう。
従って、水頭を一定に保ち、自然な流れと大気開放だけによる脱泡から、積極的な脱泡を装置内で実現することに解決しなければならない課題を有する。
【課題を解決するための手段】
【０００４】
上記課題を解決するために、本願発明の脱泡装置は、次に示す構成にしたことである。
【０００５】
（１）脱泡装置は、測定水を測定水取入口から供給して、一定の水位に保ちながら検出側に送る脱泡槽を備えた脱泡装置であって、前記測定水取入口から供給する測定水を、旋回させながら前記脱泡槽に貯留させる旋回貯留手段を備えたことである。
（２）前記旋回貯留手段は、前記測定水取入口からの測定水を水車にあてて測定水を旋回させて貯留させることである（１）に記載の脱泡装置。
（３）前記水車は、前記測定水の流速で一定方向に回転することを特徴とする（２）に記載の脱泡装置。
【発明の効果】
【０００６】
本提案によれば、測定水を脱泡槽内の水車へ当てながら供給することで、水車を中心とした旋回流によって、流れの中心部分の圧力が降下することで測定水中に溶け込んでいる微小な気泡が大気開放へ誘導され、微小な気泡を取り除くことができる。
【発明を実施するための最良の形態】
【０００７】
次に、本願発明に係る脱泡装置の実施形態について、図面を参照して以下説明する。
【実施例１】
【０００８】
本願発明の脱泡装置は、濁度計のセルに測定水を供給する前処理として、気泡を大気開放によりタンク（脱泡槽）内で気泡を減じるもので、それは図１及び図２に示すように、筒体を形成する脱泡槽１１の略中央位置の高さから測定水を取り入れる測定水取入口１２と、測定水取入口１２からの測定水を水車１３の羽根１４にあてながら回転する水車１３と、水車１３の中心位置に設けた大気開放口１５と、水車１３の下部位置に略面一の高さに形成された堰１６、堰１６に囲まれて形成された排水口１７と、堰１６よりも低い背丈を有するセル取出口１８とから大略構成されている。
【０００９】
このような構成の脱泡装置において、先ず、測定水を測定水取入口１２から脱泡槽１１内の水車１３ヘ当てながら供給し、水車１３を駆動させる。そうすると水流によって水車１３を中心とした旋回流が生じる。
旋回流によって、流れの中心部分の圧力が降下することで、測定水中に溶け込んでいる微小な気泡が大気開放口１５を通して大気開放へ誘導されるよう促される。
又、測定水取入口１２の方向を規定することで、水車１３に当てる測定水の流れ方向を一定方向にすることができ、水車１３の回転方向を一定方向にすることで、旋回流の流れ方向を決定付け、測定水がセルに供給される際に、強制的に微小な泡が送り込まれない構成になっている。
【産業上の利用可能性】
【００１０】
脱泡槽に供給する測定水を水車で旋回させながら供給することで微細な泡を大気開放へ誘導させることができる脱泡装置を提供する。
【図面の簡単な説明】
【００１１】
【図１】本願発明に係る脱泡装置を上部からみた平面図である。
【図２】同、横からみた断面図である。
【図３】従来技術における脱泡装置の略示的な断面図である。
【符号の説明】
【００１２】
１１      脱泡槽
１２      測定水取入口
１３      水車
１４      羽根
１５      大気開放口
１６      堰
１７      排水口
１８      セル取出口。
【図１】
2006200942.tif 000003
【図２】
2006200942.tif 000004
【図３】
2006200942.tif 000005
(57)【要約】【課題】熱交換効率が良く、設備コストや運転コストを節減できる地中熱交換用パイプを得る。【解決手段】熱媒がＵターンして流れる熱媒管部１を、備え、熱媒管部１を、複数本の上流側の伝熱管２を下流側の１本の戻り管３に連通連結して構成する。複数本の伝熱管２の孔断面積の合計よりも１本の戻り管３の孔断面積を小さく設定する。伝熱管２の外周と内周の一方又は両方に、管部軸方向に連なる突起状部又は溝状部を管部周方向に所定ピッチで複数形成して成る凹凸部４を、有する。【選択図】図２
2006200848.tif 000002
【特許請求の範囲】
【請求項１】
熱媒がＵターンして流れる熱媒管部１を、備え、この熱媒管部１を、複数本の上流側の伝熱管２を下流側の１本の戻り管３に連通連結して構成すると共に、複数本の前記伝熱管２の孔断面積の合計よりも１本の前記戻り管３の孔断面積を小さく設定したことを特徴とする地中熱交換用パイプ。
【請求項２】
伝熱管２を楕円管にした請求項１記載の地中熱交換用パイプ。
【請求項３】
伝熱管２の外周と内周の一方又は両方に、管部軸方向に連なる突起状部又は溝状部を管部周方向に所定ピッチで複数形成して成る凹凸部４を、有する請求項１又は２記載の地中熱交換用パイプ。
【発明の詳細な説明】
【技術分野】
【０００１】
本発明は地中熱交換用パイプに関するものである。
【背景技術】
【０００２】
深さ５０〜１００ｍの地中は年間を通してほぼ一定の温度であるので、その地中熱を利用し空調などを行うシステムがある。この地中熱の採熱などを行うのが地中熱交換用パイプで、地中に埋設され熱媒が流れるＵ字状熱媒管部を、備え、このＵ字状熱媒管部を介して地中と熱媒の間で熱交換を行っている。
【０００３】
【特許文献１】特開昭６１−２７２５９２号公報
【発明の開示】
【発明が解決しようとする課題】
【０００４】
ところが、深さが５０〜１００ｍと、それよりも浅い所と、では地中温度が異なるため、熱媒が地表へ戻る際、せっかく温調した熱媒の温度が変化し、熱交換ロスが生じる問題がある。また、地中熱交換用パイプは施工や耐蝕性、耐久性などの点から樹脂等にて製作されているため伝熱が悪く、長いパイプが必要で設備費やポンプ動力費などコストアップになる問題がある。
【課題を解決するための手段】
【０００５】
本発明は上記課題を解決するため、熱媒がＵターンして流れる熱媒管部を、備え、この熱媒管部を、複数本の上流側の伝熱管を下流側の１本の戻り管に連通連結して構成すると共に、複数本の前記伝熱管の孔断面積の合計よりも１本の前記戻り管の孔断面積を小さく設定したことを最も主要な特徴とする。
【発明の効果】
【０００６】
請求項１の発明によれば、伝熱管の部分では、径が細く熱媒流速が遅くなるので地中と熱交換しやすくなり、戻り管の部分では、径が太く熱媒流速が早くなるので地中と熱交換しにくくなる。したがって、熱交換効率が向上して熱ロスが減り、水冷ヒートポンプなどへ供給する熱媒温度が安定し、パイプが短くて済みコストダウンできる。
請求項２、３の発明によれば、伝熱管の伝熱面積が増えて一層熱交換効率が向上する。
請求項３の発明によれば、伝熱管内周の凹凸部により熱媒が乱流となって伝熱が良くなり熱交換効率がさらに向上する。しかも、凹凸部がいわゆるリブとして機能し耐久性が向上する。
【実施例】
【０００７】
図１〜図３は、本発明の地中熱交換用パイプの一実施例を示しており、この地中熱交換用パイプは、熱媒がＵターンして流れる熱媒管部１を、備え、例えば水冷ヒートポンプ５などと接続され、土壌と熱交換された熱媒がポンプにて循環し、空調機の熱源水などとして利用される。
【０００８】
熱媒管部１は、複数本の上流側の伝熱管２を下流側の１本の戻り管３に連通連結して構成すると共に、複数本の伝熱管２の孔断面積の合計よりも１本の戻り管３の孔断面積を小さく設定する。伝熱管２と戻り管３は非接触にして熱媒同士で熱交換しないようにする。この伝熱管２の外周と内周の一方又は両方には、管部軸方向に連なる突起状部又は溝状部を管部周方向に所定ピッチで複数形成して成る凹凸部４を、有している。図３（ａ）は外周に、図３（ｂ）は内周に、図３（ｃ）は外周と内周の両方に、各々凹凸部４を有する例であるが、その形状の変更は自由で、図４（ａ）のごとく楕円管にしたり、これをさらに、図４（ｂ）、図４（ｃ）、図４（ｄ）のように凹凸部４を、有するようにするも自由である。
【０００９】
図５と図６は、地中温度が一定となる深さに伝熱管２を、それよりも浅いところに戻り管３を、各々配設した例で、このように伝熱管２の長さや配置の変更は自由である。また、前記各実施例において伝熱管２の本数の増減も自由である。
【図面の簡単な説明】
【００１０】
【図１】地中熱交換用パイプを利用したシステム例の説明図。
【図２】地中熱交換用パイプの要部斜視図。
【図３】地中熱交換用パイプの断面例。
【図４】地中熱交換用パイプの他の断面例。
【図５】地中熱交換用パイプを利用した他のシステム例の説明図。
【図６】地中熱交換用パイプの他の要部斜視図。
【符号の説明】
【００１１】
１    熱媒管部
２    伝熱管
３    戻り管
４    凹凸部
【図１】
2006200848.tif 000003
【図２】
2006200848.tif 000004
【図３】
2006200848.tif 000005
【図４】
2006200848.tif 000006
【図５】
2006200848.tif 000007
【図６】
2006200848.tif 000008
(57)【要約】【課題】扉の開放時における、庫内の温度上昇及び蒸発器の霜着きが少ない凍結庫を製作する。【解決手段】凍結庫の扉の内側に、扉の開放時に内部と外部とを遮蔽するスライド式シートを取付け、そのシートに容器の出し入れに必要なノレン付き開口部を設ける。【選択図】図  １
2006200873.tif 000002
【特許請求の範囲】
【請求項１】
棚凍結方式の凍結庫における、扉開放時の庫内への侵入外気の遮断方法として、扉の内側にノレン付き開口部を設けた上下にスライドするシートを取付け、庫内と庫外を遮蔽し、シートを上下させることにより開口部から棚に配置する任意の容器の出し入れができることを特徴とするスライド式外気遮断装置。
【発明の詳細な説明】
【発明の詳細な説明】
【技術分野】
【０００１】冷凍機械と関連した装置
【背景技術】
【０００２】従来の凍結庫においては扉の開放時の多量の侵入外気に起因する、庫内の温度上昇及び蒸発器の多量の霜着きの発生が、装置機能の低下をきたし、凍結品の品質低下につながっている。
【発明が解決しようとする課題】
【０００３】扉の開放時における、庫内の温度上昇及び蒸発器の霜着きが少ない凍結庫を製作する。
【課題を解決しようとする手段】
【０００４】凍結庫の扉の内側に、扉の開放時に内部と外部とを遮蔽するスライド式シートを取付け、そのシートに容器の出し入れに必要なノレン付き開口部を設ける。
【発明を実施するための最良の形態】
【０００５】扉側に容器３が出し入れできる、ノレン付き開口部４を設けたシート２を棚１を一周するように取付けることにより、扉５を開放しても凍結庫６の内部と外部は遮蔽状態にあり、外気の侵入を最少限に抑えることができる、容器３の出し入れはシート２を上下させノレン付き開口部４を棚１の任意の位置に合わせ実施する、シート２の上下作業を容易にするため、棚１の四隅にシート２の横幅に合わせローラー７を取付ける。
【発明の効果】
【０００６】従来の凍結庫に比べ扉の開放時、外気の侵入を大幅に減らすことになり、蒸発器の霜取り回数を減らすと共に温度上昇を抑えることができ、凍結時間の短縮に依る凍結品の品質向上及び運転経費の削減に寄与する。
【図面の簡単な説明】
【図１】「扉開放正面、断面図である」
【符号の説明】
１                棚
２                シート
３                容器
４                ノレン付き開口部
５                扉
６                凍結庫
７                ローラー
【図１】
2006200873.tif 000003
(57)【要約】【課題】換気装置を異常電流から保護するための回路遮断器で換気装置を制御して別途センサや制御装置を設置する必要をなくし、而も回路遮断器が換気装置の作動時間を自動で設定して煩雑な設定をしなくても良く、また、部屋の外観を損なわないようにする。【解決手段】負荷回路に換気装置４を接続して成る回路遮断器１において、主電路６を貫通させた変流器８により換気装置４の消費電流を検出し、検出した消費電流から換気装置４を作動させる時間を設定し、設定した作動時間に基づいてリレー回路１４を駆動して換気装置４を作動させる。【選択図】図１
2006200871.tif 000002
【特許請求の範囲】
【請求項１】
負荷回路に換気装置を接続して成る回路遮断器において、主電路を貫通させた変流器により前記換気装置の消費電流を検出し、検出した消費電流から前記換気装置を作動させる時間を設定し、設定した作動時間に基づいてリレーを駆動し前記換気装置を作動させることを特徴とする回路遮断器。
【発明の詳細な説明】
【技術分野】
【０００１】
本発明は、建材や家具から発散されるホルムアルデヒドなどの化学物質を換気するための換気装置の作動を制御する機能を備えた回路遮断器に関する。
【背景技術】
【０００２】
快適で健康的な住宅で暮らすために、シックハウス対策のための規制が導入された改正建築基準法が平成１５年７月１日に施行された。この改正建築基準法ではシックハウスの原因となるホルムアルデヒドなどの化学物質の室内濃度を下げるために建築物に機械換気設備の設置が義務付けられ、１時間あたりに部屋の空気の半分以上が入れ替わるように指導されている。部屋の空気を換気するシステムとしては、例えば、特許文献１に示されるように換気装置の作動時間を監視して換気量を調整するものものや、特許文献２に示されるように部屋のガス濃度をセンサにより検出し、ガス濃度に応じて換気量を調整するものや、特許文献３に示されるように換気装置の作動時間をタイマーで制御するものがあった。
【０００３】
【特許文献１】特開２００４−２７８９３７号公報（ｐ．２）
【特許文献２】特開平１１−２１１１６５号公報（ｐ．２）
【特許文献３】特開平１１−２１１１６６号公報（ｐ．２）
【発明の開示】
【発明が解決しようとする課題】
【０００４】
しかしながら、従来の換気システムは、換気装置の他にセンサや制御装置が必要であり、設備が大掛かりになるという欠点があった。
【課題を解決するための手段】
【０００５】
本発明は、負荷回路に換気装置を接続して成る回路遮断器において、主電路を貫通させた変流器により換気装置の消費電流を検出し、検出した消費電流から換気装置を作動させる時間を設定し、設定した作動時間に基づいてリレーを駆動し換気装置を作動させることを特徴とする。
【発明の効果】
【０００６】
本発明によれば、換気装置を異常電流から保護するための回路遮断器で換気装置を制御するので別途センサや制御装置を設置する必要がなく、特別な工事を行う必要もない。而も回路遮断器が換気装置の消費電流を検出して作動時間を設定するので煩雑な設定をしなくても良い。また、回路遮断器は分電盤内に収納されるので部屋の外観を損なうことがないという効果がある。
【発明を実施するための最良の形態】
【０００７】
負荷回路に換気装置を接続して成る回路遮断器において、主電路を貫通させた変流器により換気装置の消費電流を検出し、検出した消費電流から換気装置を作動させる時間を設定し、設定した作動時間に基づいてリレー回路を駆動し換気装置を作動させる。
【実施例１】
【０００８】
本発明に係る回路遮断器の実施例１を図１の添付図面に基づいて説明する。
【０００９】
回路遮断器１は、商用電源２に接続される電源側端子３と建物の換気を行う換気装置４が接続される負荷側端子５を有し、電源側端子３と負荷側端子５間の主電路６に開閉接点７が介在され、異常時に開閉接点７が開路して主電路６を遮断するようになっている。換気装置４はホルムアルデヒドの発散量から計算して必要な有効換気量が確保できる能力を備えたものが取り付けられている。
【００１０】
開閉接点７と負荷側端子５間の主電路６には変流器８が主電路６を貫通させて設けられている。変流器８の出力は電流・電圧変換回路９に接続され、変流器８によって主電路６に流れる電流を検出し、電流・電圧変換回路９によって変流器８の検出電流を電圧信号に変換している。
【００１１】
電流・電圧変換回路９の出力はＡ／Ｄ変換回路１０に接続され、電流・電圧変換回路９から入力された電圧信号をアナログ信号からデジタル信号に変換している。そして、アナログ信号から変換されたデジタル信号はＭＰＵ１１に入力される。
【００１２】
ＭＰＵ１１は、入力されたデジタル信号を例えば１０ｍｓなどの一定間隔で複数回サンプリングして積算し、この積算値をサンプリング回数で除算して平均化して換気装置４の消費電流を計算する。
【００１３】
メモリ１２には予め一般的な換気装置の換気能力と消費電流の関係から消費電流に応じて必要な換気時間のデータが記憶されており、ＭＰＵ１１はメモリ１２に設定されたデータに基づいて消費電流値から換気装置４の作動時間を設定し、この設定した作動時間に基づいて駆動回路１３を制御してリレー回路１４を駆動させるようになっている。
【００１４】
これにより、リレー回路１４は開閉接点７と負荷側端子５間の主電路６に設けられたリレー接点１５を開閉し、換気装置４をオン・オフする。
【００１５】
このため、換気装置４の設置後に換気装置４の電源をオンするだけで回路遮断器１が換気装置４の消費電流を自動で検出して換気装置４の作動時間を設定し、設定に基づいて換気装置４を作動させるので煩雑な設定をしなくても良い。
【００１６】
尚、開閉接点７とリレー接点１５の間の主電路６に接続された電源回路１６は各回路に直流電源を供給するためのものである。
【００１７】
また、開閉接点７とリレー接点１５の間の主電路６に設けられたバイメタル１７は主電路６の過電流を検出すると開閉接点７をオフする保護装置であり、回路遮断器１はこのバイメタル１７の他にも主電路６に漏洩電流が流れたときに開閉接点７をオフする漏電保護装置や主電路６に短絡電流が流れたときに開閉接点７をオフする瞬時引き外し装置などの保護装置を搭載しても何ら問題なく、本発明の趣旨を逸脱しない範囲において適宜に変更して実施することが可能である。
【図面の簡単な説明】
【００１８】
【図１】本発明に係る回路遮断器のブロック図である。
【符号の説明】
【００１９】
１    回路遮断器
４    換気装置
６    主電路
８    変流器
９    電流・電圧変換回路
１０    Ａ／Ｄ変換回路
１１    ＭＰＵ
１２    メモリ
１３    駆動回路
１４    リレー回路
１５    リレー接点
【図１】
2006200871.tif 000003
(57)【要約】      （修正有）【課題】薪ストーブの扉を開けて薪を入れる度に、扉の入り口より煙りと臭いが発生する物を、外部へ排出する薪ストーブ用吸煙装置の提供。【解決手段】扉上部に煙りを受け止めるボックスカバ−Ｂを、スト−ブ本体と、ふたＭとの間の溝Ｘの部分に、ボックスカバ−Ｂと一体になっている、つばＨをさしこんで取り付け、このボックスカバ−で受け止める煙りと臭いを、火の粉が入らない様、目の細かい金網が取り付けてある吸い取り口Ｓを、ボックスカバ−Ｂの左右上下のいずれかの一ヶ所に差し込んで、パイプＣの部分を吸煙機に接続して、パイプＰの穴Ａより室外の冷気と高温の煙りを一緒に吸う事で、吸煙機のモ−タ−が高温にならないで、煙りと臭いを外部へ排出する事ができる。【選択図】図１
2006200872.tif 000002
【特許請求の範囲】
【請求項１】
薪を入れる扉の上部に、下の部分が開いているボックスカバ−が高温にならない様つばによって挾んで接触部分を少なくして取り付け、薪を入れる度に煙りや臭いが発生する物を、ボックスカバ−で受け止め、左右上下のいずれかの一ヶ所より、吸煙パイプによって外部へ排出する薪スト−ブ用吸煙装置。
【請求項２】
吸煙パイプの吸い取り口の部分は火の粉が入らない様、目の細かい金網を取り付け、途中に室外の冷気も一緒に取り入れるため、吸煙パイプの中間に穴を開けて、吸煙機のモ−タ−を冷やす様にした薪スト−ブ用吸煙装置。
【発明の詳細な説明】
【発明の詳細な説明】
【技術分野】
【０００１】  本発明は薪スト−ブの扉を開けて薪を入れる度に、扉の入り口より煙りと臭いが発生する物を、外部へ排出する薪スト−ブ用吸煙装置に関するものである。
【背景技術】
【０００２】従来この種のエンジンや電気モ−タ−による吸煙装置はある。
【発明が解決しょうとする課題】
【０００３】  しかしながら薪スト−ブに煙り受け止めカバ−を取り付け、吸煙パイプの吸い取り口に火の粉が入らない様金網を取り付け、吸煙機のモ−タを冷やすため、途中に室外の冷気も一緒取り入れる穴を開けて、外部へ排出する吸煙装置はないため不都合を有している。
【課題を解決するための手段】
【０００４】  本発明はこのような不都合を解決することを目的とし、本発明のうち請求項１記載の発明は、扉の上部に煙り受け止めカバ−を取り付け、薪を入れる度に煙りや臭いが発生する物を、カバ−で受け止め吸煙パイプによって外部へ排出ことを可能にした、薪スト−ブ用吸煙装置にある。
【０００５】又、請求項２記載の発明は、吸煙パイプの吸い取り口の部分は火の粉が入らない様、目の細かい金網を取り付け、途中に外部の冷気も一緒に取り入れるため、吸煙パイプの中間に穴を開けて、モ−タ−を冷やす様にした薪スト−ブ用吸煙装置にある。
【発明を実施するための最良の形態】
【０００６】  図面は本発明の実施の形態例を示し、Ｂは本発明の薪スト−ブ用吸煙装置の煙り受け止めカバ−で、Ｐは吸煙パイプ。Ｓは火の粉が入らない様、目の細かい金網を取り付けてある吸い取り口で、Ａは高温の煙を吸わない様、室外の冷気も一緒に取り入れる穴であり、Ｃは吸煙機に接続する部分である。又、Ｈは煙り受け止めカバ−Ｂと一体となっている・つば・でありスト−ブの本体と、ふたＭとの溝Ｘの部分に左右の・つばＨを差し込んでボックスＢはスト−ブに取り付けてある。Ｅは後方部分のエントツです。【０００７】  この場合、ボックスＢで煙りを受け止めた物を、室外の冷気も一緒に取り入れる穴Ａによって吸煙機で煙りを外部へ排出する事ができる。
【発明の効果】
【０００８】  本発明は、請求項１記載の発明にあっては、扉の上部に下の部分が開いているボックスカバ−を、高温にならない様つばによって挾んで接触部分を少なくして取り付け、薪を入れる度に煙りや臭いがする物を、ボックスカバ−で受け止めた物を、吸煙パイプと吸煙機で外部へ排出が可能である。
【０００９】  又、請求項２記載にあっては、吸煙パイプの吸い取り口の部分は火の粉が入らない様目の細かい金網を取り付け、吸煙パイプの中間に穴を開けて室外の冷気も一緒に取り入れ吸煙機のモ−タを冷やす事が可能である。
【図面の簡単な説明】  本発明の実施の形態例の全体斜視図
【符号の説明】
Ｂ  ボックスカバ−    Ｐ  吸煙パイプ    Ｓ  吸い取り口    Ａ  穴Ｃ  接続部    Ｈ  つば    Ｍ  ふた      Ｘ  溝      Ｅ  エントツ
【図１】
2006200872.tif 000003
(57)【要約】【課題】  モーションコントローラにおける、モーション制御のプログラム方法はこれまでラダー言語や、モーションテキスト言語が主に用いられてきた。しかし、機械構成が複雑になり、より高度なモーション制御が必要になってきており、これまでのプログラム方法では困難になってきた。【解決手段】           コントローラ内部にＣ言語実行部と、その中に優先度の異なるタスクと登録及び制御出来る仕組みと、それらのＣ言語タスクが従来の資源（入出力信号、レジスタ）にアクセスしモーション制御を出力出来る仕組みを備える。【選択図】図１
2006107312.tif 000002
【特許請求の範囲】
【請求項１】
シーケンスラダーを実行するラダー実行部と、モーションプログラムを実行するモーションテキスト実行部と、ラダー実行部とモーションテキスト実行部からの指令に従って接続されるＩＯやサーボ機器を制御するモーション制御部を備えたモーションコントローラにおいて、
前記ラダー実行部のＨｉｇｈスキャンに同期して実行するＨｉｇｈタスクと、前記ラダー実行部のＬｏｗスキャンに同期して実行するＬｏｗタスクと、前記Ｈｉｇｈタスクと前記Ｌｏｗタスクが共通して呼び出すことができる関数とを含むＣ言語実行部を備え、
該Ｃ言語実行部が前記ラダー実行部及び前記モーション制御部と同じレベルにおかれたことを特徴とするモーションコントローラ。
【発明の詳細な説明】
【技術分野】
【０００１】
本発明は、Ｃ言語実行部を備えたモーションコントローラに関する。  
【背景技術】
【０００２】
モーション制御をするプログラムが組み込まれた従来のモーションコントローラについて図２を用いて説明する。図において、１１はＨｉｇｈスキャンとＬｏｗスキャンを備えたラダー実行部であり、それぞれ異なる優先度でラダーが処理される。１２はモーションテキスト実行部であり、入出力信号１４とレジスタ１５にアクセスしてモーションを制御すると、その結果をモーション制御部１３に出力する。モーションテキスト実行部１２はラダー実行部１１から情報を呼び出し、その情報を実行した結果をラダー制御部１１に戻すこともできる（たとえば特許文献１参照）。
これらの機能を果たすべく組み込まれたプログラムにはラダー言語やモーションテキスト言語が用いられている。また、これらの機能はプロセッサ１７とその上で実行されるリアルタイムＯＳ１６によって制御されており、リアルタイム性が保証された動作をするようになっている。
【特許文献１】特開平９−２７４５１１号公報（４頁、図１）
【発明の開示】
【発明が解決しようとする課題】
【０００３】
ところがラダー言語とモーションテキスト言語はＰＬＣコントローラのＩＯ制御や高級な計算を必要としないモーション制御には向いているが、そのような制御が融合したような制御をさせるときは、すなわち、様々なＩＯ信号を確認しながら高級な計算を必要とするような制御をさせるときは、プログラミングが容易でないという問題があった。そのため、２種類の制御を別々のＣＰＵで制御させるということも考えられたが、その場合は２つのＣＰＵの間で通信制御を必要とするので、コントローラ全体の性能を向上することは簡単にはできないという問題もあった。
本発明はこのような問題点に鑑みてなされたものであり、Ｃ言語プログラミングによりモーション制御をできるようにするとともに、ラダー制御やモーションテキスト制御をする従来のプログラムとデータの共有ができるようにし、リアルタイムでモーション制御することができるモーションコントローラを提供することを目的とする。
【課題を解決するための手段】
【０００４】
上記問題を解決するため、本発明は、シーケンスラダーを実行するラダー実行部と、モーションプログラムを実行するモーションテキスト実行部と、ラダー実行部とモーションテキスト実行部からの指令に従って接続されるＩＯやサーボ機器を制御するモーション制御部を備えたモーションコントローラにおいて、前記ラダー実行部のＨｉｇｈスキャンに同期して実行するＨｉｇｈタスクと、前記ラダー実行部のＬｏｗスキャンに同期して実行するＬｏｗタスクと、前記Ｈｉｇｈタスクと前記Ｌｏｗタスクが共通して呼び出すことができる関数とを含むＣ言語実行部を備え、該Ｃ言語実行部が前記ラダー実行部及び前記モーション制御部と同じレベルにおかれたことを特徴としている。
【発明の効果】
【０００５】
上記のようになっているため、ラダー言語とモーションテキスト言語に限らずＣ言語を使ったプログラムができるようになり、モーションコントローラがモーション制御をすることができるようになるという効果がある。
【発明を実施するための最良の形態】
【０００６】
以下、本発明の実施の形態について図を参照して説明する。
【実施例１】
【０００７】
図１は本発明のモーションコントローラの構成を示すブロック図である。図においてＣ言語実行部２０が従来のモーションコントローラに追加された部分であり、本発明の特徴部分である。Ｃ言語実行部２０が追加されたことにより、ラダー実行部１１とモーションテキスト実行部１２、Ｃ言語実行部２０が同じレベルに置かれたことになり、機械の制御にあわせていずれかが選択されて最適なプログラムをすることができるようになっている。これら３つの実行部が一つのプロセッサに組まれて同じ資源、すなわち入出力信号１４とレジスタ１５、にアクセスすることができるようになっている。
図１のモーションコントローラによると、Ｃ言語実行部２０は複数のタスクを登録することができ、ラダー実行部１１のＨｉｇｈスキャンに同期して実行されるＨｉｇｈタスクと、Ｌｏｗスキャンに同期して実行されるＬｏｗタスクと、各タスクが共通して呼び出すことができる関数を備えている。Ｃ言語実行部２０はラダー実行部１１と接続されており、入出力信号１４とレジスタ１５を入出力してデータを共有している。Ｃ言語実行部２０は、入出力信号１４とレジスタ１５のそれぞれを読み書きすることができるようにもなっており、計算した結果をモーション制御部１３に出力する。
次に、このような構成をしたモーションコントローラの動作について説明する。まずラダー実行部１１とモーションテキスト実行部１２とＣ言語実行部２０がリアルタイムＯＳ１６によって周期的に実行動作すると、次にそれらの処理結果がモーション制御部１３に渡され、モーション制御部１３がそれに接続されたＩＯやサーボ機器を制御する。従って全体として３種類のいずれかの方法で指令されたプログラムに従って、ＩＯやサーボ機器が動作するのである。
【図面の簡単な説明】
【０００８】
【図１】本発明のモーションコントローラの構成を示すブロック図
【図２】従来のモーションコントローラの構成を示すブロック図
【符号の説明】
【０００９】
１１  ラダー実行部、        １２  モーションテキスト実行部、
１３  モーション制御部、    １４  入出力信号、
１５  レジスタ、            １６  リアルタイムＯＳ、
１７  プロセッサ、          ２０  Ｃ言語実行部
【図１】
2006107312.tif 000003
【図２】
2006107312.tif 000004
(57)【要約】【課題】通常、商品に付帯させた籤は商品パッケージなどに印刷し、それら印刷物と送るなどして応募を行うために収集や保管が煩わしい。他方、二次元コードリーダによって読み込んだ情報を記憶し送信できることで収集や保管の煩わしさのない二次元コードは複製や生成が容易な為に籤に馴染まない。【解決手段】数字又は文字若しくは記号あるいはこれらの結合により構成する籤、又は当該籤を複数に分割した分割籤と、これら各籤又は各分割籤にチェックデジットを付加した認証コードを設け、これらの籤又は分割籤、及び認証コードを二次元コード化し、密閉状態では読み込めないようにペットボトルなどボトル容器のキャップ内側部分に当該二次元コードを印刷する。【選択図】図１
2006107075.tif 000002
【特許請求の範囲】
【請求項１】
数字又は文字若しくは記号あるいはこれらの結合により構成する籤と、各籤にチェックデジットを含む認証コードを設け、籤と認証コードを二次元コード化しペットボトルなどボトル容器のキャップ内側部分に印刷したことを特徴とする籤付きキャップ。
【請求項２】
数字又は文字若しくは記号あるいはこれらの結合により構成する籤を複数に分割し、これら分割した籤の組み合わせにより当落を決する分割籤と、各分割籤にチェックデジットを含む認証コードを設け、分割籤と認証コードを二次元コード化しペットボトルなどボトル容器のキャップ内側部分に印刷したことを特徴とする分割籤付きキャップ。
【発明の詳細な説明】
【技術分野】
【０００１】
当たり外れ等の籤情報を格納した二次元コードを付したボトル容器のキャップに関する。
【背景技術】
【０００２】
従来、商品や商品パッケージに籤を付帯させた場合、商品や商品パッケージから籤部分を剥離するなどして受け渡すことにより応募を行う。
【発明の開示】
【発明が解決しようとする課題】
【０００３】
通常、籤は紙などに印刷し応募の際にそれら印刷物の受け渡しを要する為に応募者側も募集者側も収集や保管が煩わしい。他方、二次元コードリーダによって読み込んだ情報を記憶できることで収集や保管の煩わしさのない二次元コードは複製や生成が容易な為に籤に馴染まない。そこで本発明は、収集や保管の煩わしさのない二次元コードでありながら不当な複製や生成を防止する二次元コード籤を提供する。
【課題を解決するための手段】
【０００４】
数字又は文字若しくは記号あるいはこれらの結合により構成する籤、又は当該籤を複数に分割した分割籤と、これら各籤又は各分割籤にチェックデジットを付加した認証コードを設け、これらの籤又は分割籤、及び認証コードを二次元コード化し、密閉状態では読み込めないようにペットボトルなどボトル容器のキャップ内側部分に当該二次元コードを印刷する。
【発明の効果】
【０００５】
籤でありながら、二次元コードリーダにより読み込み記憶させることで、印刷物の保管や交換、発送が不要になる。
【０００６】
籤情報を二次元コード化することで、ペットボトルなど透明な容器では外観から籤情報が目視できるにもかかわらず当落などの判別をできなくする。
【０００７】
また、籤を複数に分割し二次元コード化することで、当落などの鑑別が不能になる。
【０００８】
キャップ内側に二次元コードを付すことによって、密閉した容器から二次元コードリーダによる読み込みを不能にし、不当な読み込みや複製を防ぐ。
【０００９】
認証手段を設けることで、複製や作成が容易な二次元コードでありながら、正規と偽造とを識別し、不正な応募を排除することができる。
【００１０】
二次元コード籤の応募を電子メールを媒介にすることで、応募者の電子メールアドレスを取得することができ、別途クーポン券を発送するなどプロモーション手段として活用することができる。
【発明を実施するための最良の形態】
【００１１】
数字４ケタの各数字と並びの順序が一致することにより当落が確定する籤であって、籤ごとに０から９のうち一つの籤番号を与え、チェックデジットを付加するために籤番号とそれを発行した順番を含む認証コードを算出し、籤の一つ一つにそれぞれ異なった認証コードを付与する。
【００１２】
次に、籤番号と認証コードからＱＲコードを生成しＱＲコード籤１を設ける。
【００１３】
ＱＲコード籤１はペットボトルのキャップ内側部分に印刷しＱＲコード籤付きキャップ２を設け、ペットボトルに密栓する。
【００１４】
籤の応募者は密栓されたペットボトルからＱＲコード籤付きキャップ２を開栓し、内側に印刷されているＱＲコード籤１を携帯電話が搭載するＱＲコードリーダにより読み込み、少なくとも４つのＱＲコード籤１を収集し、これらＱＲコード籤１を適宜な順序に並べることで格納される籤番号から４ケタ数字を編成し、それら内容を電子メールで送信することで応募を行う。
【００１５】
募集者は、ＱＲコードに格納されるチェックデジットにより整合性を判別する手段を設け、受信した４つのＱＲコード籤１について全てが整合すると当該応募は完了し、送信元電子メールアドレス宛へ受付確認のメールを返信する。
【００１６】
募集者は募集の際に応募者の電子メールアドレスを入手することで、籤と関連した、あるいは関連しない情報の発信が可能となる。
【図面の簡単な説明】
【００１７】
【図１】本発明の実施例を示す全体図。
【符号の説明】
【００１８】
１ＱＲコード籤
２ＱＲコード籤付きキャップ
【図１】
2006107075.tif 000003
(57)【要約】      （修正有）【課題】取扱者が情報処理装置を使用する際に、常に取扱いの履歴を管理・監視されている事を認知する事により取扱者自身のモラル向上を図り、セキュリティ対策ソフトウェアでは回避できない意図的な被害を防衛する仕組みを提供する。【解決手段】情報処理装置において、情報処理装置より、印刷出力機や情報退避機器および通信ブラウザなどの出力系統に対して出力命令が発行された場合に、出力命令の発行時間と終了時間（いつ），出力命令そのもの（何を），取扱者ＩＤ（誰が）と処理情報（Ｂ〜Ｋ）を出力命令発行履歴（ロギング）データベースＨより個別データベース（監視履歴）Ｏへ格納監視する。【選択図】図２
2006107412.tif 000002
【特許請求の範囲】
【請求項１】
情報処理装置使用時における出力命令ロギング管理方法
【請求項２】
情報処理装置使用時における技術者のセキュリティモラル改善方法
【発明の詳細な説明】
【発明の説明】
【０００１】本発明は、情報処理装置を使用する上で意図的な情報漏洩を阻止する為の手段である。また、取扱者のモラルの向上を図る事が出来、それにより情報漏洩を防御する為の手段でもある。
【技術分野】
【０００２】本発明はソフトウェア技術に属する。
【背景技術】
【０００３】現在は情報処理装置内に進入した又は進入しようとするウィルスへのセキュリティ対策ソフトウェアにより情報処理装置を防御しているが、これは情報処理装置自身を守るに過ぎない。
また保険会社より『個人情報漏洩保険』が商品化されているがこれは、情報漏洩事故後の対応策である。
情報保護の原理原則に基づく根本的な整備は情報処理装置の処理履歴の管理及びそれに伴なう取扱者のモラル改善に他ならない。
ゆえに、事前対策として本技術を提供するものとする。
【発明の開示】
【０００４】許可いたします
【発明が解決しようとする課題】
【０００５】情報処理装置が発行する入出力命令（Ｉ／Ｏ）の出力命令発行履歴（ロギング）を常時、監視取得する事により人為的な情報漏洩の防衛を行うと同時に、情報処理装置の取扱者のモラルの向上を喚起する仕組みを提供する。
【課題を解決する為の手段】
【０００６】情報処理装置において、▲１▼より出力系統▲２▼〜▲７▼に対して出力命令が発行された場合に出力命令の発行時間と終了時間（いつ），出力命令そのもの（何を），取扱者ＩＤ（誰が）と処理情報（Ｂ〜Ｋ）を出力命令発行履歴（ロギング）データベースＨより個別データベース（監視履歴）Ｏへ格納監視する。
【発明の効果】
【０００７】０００４の仕組みを情報処理装置の取扱者へ開示する事により、常時管理・監視をされている事を認識する事により情報処理装置の取扱いモラルの向上を図り、情報漏洩の意図的な損害を防御する。
【発明を実施する為の最良の形態】
【０００８】本発明を全うしたソフトウェアを情報処理装置▲１▼のＨ部へ常駐格納する事である。
【実施例】
【０００９】
【産業上の利用可能性】
【００１０】ネットワーク等を介した人為的ウィルスを防ぐ防衛手段は日進月歩で進捗しているが使う側のモラルに関する規制・法規が確立されておらず、意図的・人為的な情報漏洩は一向に無くならない。銀行等のＡＴＭ機械にも監視カメラが付帯しており、意図的な工作をしずらい環境整備を整備している。
取扱者が自由意志で操作可能な情報処理装置に対して本技術を取り込むことにより、自由意志に歯止めを掛ける効果が期待できる。
情報漏洩等による損害が発生してからケアする保険商品も発生しているが社会的信用などの損害は保険金などでは、とてもカバーしきれない。
問題を起こさない為の環境作りと取扱者のモラルの向上により、問題が起きない方向へ進まなければならない時期にきている。
情報処理装置は便利な道具であると共に、危険な道具でもあるという認識を取扱者及び管理責任者も意識する必要がある。
ゆえに産業上の利用可能性は大いに期待できる。
【図面の簡単な説明】
【００１１】
【図１】情報処理装置からの出力命令対象の機器を表したものである
【図２】情報処理装置内の命令伝達のしくみを表したものである
【符号の説明】
【００１２】▲１▼  情報処理装置（ＣＰＵ）
▲２▼  印刷出力機（プリンター、プロツター）
▲３▼  情報退避機器（ハードディスク）
▲４▼  情報退避機器（フロッピー、ＤＡＴ，ＭＤ，ＣＤ，ＤＶＤ）
▲５▼  情報退避機器（Ｉ／Ｆメモリー）
▲６▼  メール通信ブラウザ
▲７▼  ネットワーク通信ブラウザ
Ａ〜Ｍ  ＣＰＵにおける従来の処理伝達経路と名称
Ｏ      本発明の挿入部
【図１】
2006107412.tif 000003
【図２】
2006107412.tif 000004
(57)【要約】【課題】テンキー入力に変わる高齢者に優しくセキュリティーの高い暗証番号入力方法。【解決手段】数字ではなく図形で記憶しておく事で複数の暗証番号の記憶を可能とし指で図形を描くという入力方法で入力を安易にします。また、暗証番号の桁数を増やしてセキュリティーを高くする事が可能です。【選択図】図２
2006107411.tif 000002
【特許請求の範囲】
【請求項１】
縦３×横３のように配列されたセンサー又はタッチパネル等の入力点を指で触れる事によりセンサー又は入力点のあいだに線が表示され図形を描いている感覚でセンサー又は入力点に割り付けられた数字又は英字が暗証番号として入力される。また、入力装置と図形表示の位置を別々にもうけることもできる。
【発明の詳細な説明】
【技術分野】
【０００１】本発明は現在主流のテンキーを使った暗証番号の入力方法に変わり数字ではなく図形で入力する事によって入力方法を簡単にし暗証番号の桁数も増やしてセキュリティをあげるものである。
【背景技術】
【０００２】従来のテンキーでの入力はＡＴＭなどに使われていますが暗証番号は４桁が主流です。
図形で認証する特許として  特許公開平１１−２２９６８８
特許公開平１０−３３４２３９
特許公開平７−１２９５１２
がありますが、どれも図形をデーター化したものと認証するもので本発明の暗証番号で認証するものではありませんでした。
【発明の開示】
【発明が解決しようとする課題】
【０００３】従来のテンキーによる暗証番号入力では数字をたくさん覚えておくのが困難な為、現在４桁が主流となっています。これに変わり簡単な図形で記憶する事により指で図形を描く簡単な方法で１０桁以上の暗証番号の入力が可能になりセキュリティをあげる事ができます。
【課題を解決する為の手段】
【０００４】縦３×横３のように配列されたセンサー又はタッチパネル等の入力点を指で触れる事によりセンサー又は入力点のあいだに線が表示され図形を描いている感覚でセンサー又は入力点に割り付けられた数字又は英字が暗証番号として入力される。
【発明の効果】
【０００５】現在主流のテンキー入力では高齢者には親切とはいえません。
物忘れがひどくなってくると複数の暗証番号を記憶しておくのは難しくなります。目が見えにくくなってキーの入力間違えなどで苦労している高齢者をよくみかけます。図形入力は直感的に図形で記憶する為に忘れにくく入力の時も絵が描けていくので入力間違いも少ないと思います。
【発明を実施するための最良の形態】
【０００６】タッチパネルを使って入力用の画面を作り現在のテンキー入力と入れ替えます。
【実施例】
【０００７】現在タッチパネルでテンキー入力されているＡＴＭは入力画面の変更と暗証番号の部分のソフト変更のみですぐに実現が可能です。【０００８】マンションのオートロックのテンキー入力部分を図形入力画面のタッチパネルに変更し暗証番号の部分のソフト変更で使用可能です。
【産業上の利用可能性】
【図面の簡単な説明】
【０００９】
【図１】概観図
【図２】入力方法
【図１】
2006107411.tif 000003
【図２】
2006107411.tif 000004
(57)【要約】【課題】ロート容器にストッパーをつけたストッパー付きロートを提供する。【解決手段】ロート容器の縁部の一部に、握り柄を設ける。操作片を設ける。操作片の先に下方に湾曲した支軸を設ける。その支軸にの先に、押さえ部を設ける。その押さえ部の型の周囲にパッキンを設ける。押さえ部の下部に、栓を取り付ける。操作片の前方に支点を介して、支軸を設ける。支点にバネを装着し、操作片により半回動自在とした、ロート容器にストッパーを付けたことを特徴とする、ストッパー付きロート。【選択図】図１
2006103793.tif 000002
【特許請求の範囲】
【請求項１】
ロート容器の緑部の一部に、握り柄を設ける。繰作片を設ける。繰作片の先に下方に湾曲した支軸を設ける。その支軸の先に、押さえ部を設ける。その押さえ部の型の周囲に、パッキンを設ける。押さえ部の下部に、栓を取り付ける。操作片の前方に支点を介して、支軸を設ける。支点にバネを装着し、操作片により半回動自在とした、ロート容器にストッパーを付けたことを特徴とする、ストッパー付きロート。
【発明の詳細な説明】
【技術分野】
【０００１】  本発明は、細口瓶、容器などに、液体を注入するときに使用するロートに、スットッパーをつけて、ロート容器中に液体を溜めることができる、ストッパー付きロートに関するものである。
【背景技術】
【０００２】  従来、ロート容器の縁部に、握り柄をつけて、持ちやすくしたロートがあった。逆三角錐状のロート容器の下部に、注ぎ部を設けたものであった。注ぎ部を瓶の口に差し込んで、容器に液体を入れて、注ぎ口を通し、瓶に液体を注入していた。
【発明の開示】
【発明が解決しようとする課題】
【０００３】  そのために、次のような問題点があった。
（イ）ロート容器に液体を注いでいるとき、瓶内部が満杯状態になり不注意により瓶から、液体が、溢れ出ることがあった。
（ロ）あふれでた液体の後始末が大変である。
本発明は、これらの問題点を解決するためになされたものである。
【課題を解決するための手段】
【０００４】  ロート容器（１）の縁部の一部に、握り柄（３）を設ける。そして操作片（５）を設ける。その操作片（５）の前方に、下方に湾曲させた支軸（４）を設ける。その支軸（４）の先に押さえ部（８）を設ける。押さえ部（８）の型の周囲にパッキン（６）を設ける。押さえ部（８）の下部に、栓（７）を取り付ける。繰作片（５）の前方に支点（９）を介して、支軸（９）を設ける。支点（９）にバネ（１０）を装着し、支軸（４）は、繰作片（５）により半回動自在とする。
本発明は、以上の構成よりなるストッパー付きロートである。
【発明の効果】
【０００５】  本発明を使用することによって、瓶、容器などに液体を入れる時、操作片を握りながら瓶、容器などに液体をいれ、丁度良い位置で、操作片から指を離すとストッパーが、ロート容器の中に、液体を溜めることが出来、便利である。又、栓にパッキンを付けたので水漏れしない。不注意により液体が溢れ出ることがなくなり、後始末の苦痛も解決する。
【発明を実施するための最良の形態】
【０００６】  以下、本発明の実施の形態について説明する。
（イ）逆三角錐状のロート容器（１）の縁部の一部に、握り柄（３）を設ける。
（ロ）操作片（５）を設ける。操作片（５）の先に下方に湾曲した支軸（４）を設ける。
（ハ）支軸（４）の先端に、押さえ部（８）を設ける。
（ニ）注ぎ部（２）の穴の上がふさがるように、押さえ部（８）の型の周囲にパッキン（６）を設ける。その押さえ部の下部に栓（７）を取り付ける。
（ホ）操作片（５）の前方に支点（９）を介して支軸を設ける。支点（９）にバネ（１０）を装着し、支軸（４）、操作片（５）により半回動自在する。
本発明は以上のような構成よりなっている。
本発明を使用するときは、瓶の口の中にロートの注ぎ部（２）を差し込み、握り柄（３）と操作片（５）を握ったまま液体を入れる。操作片（５）を握ったままだと栓（７）が上がった状態で液体がスムーズに中に入る。瓶の中の入れたい位置でとめたいときは、操作片（５）の指を離すだけで瞬時に栓（７）が下がり、注ぎ部がふさがれる。ロート容器の中に液体が残ったままでもパッキン（６）が付いているので、液漏れの心配がない。
又、液状のたれ、ドレッシングなどを作るときも、ロート容器内に直接、液体の分量を入れ、そのまま細口瓶、容器などに入れることもできる。
【図面の簡単な説明】
【０００７】
【図１】本発明の斜視図
【図２】本発明の要部断面図
【図３】本発明の側面透視図
【図４】本発明の一部を切り欠いた平面図
【符号の説明】
【０００８】    １    ロート
２    注ぎ部
３    握り柄
４    支軸
５    操作片
６    パッキン
７    栓
８    押さえ部
９    支点
１０  バネ
【図１】
2006103793.tif 000003
【図２】
2006103793.tif 000004
【図３】
2006103793.tif 000005
【図４】
2006103793.tif 000006